(57)【要約】      （修正有）【課題】簡便な構成で、高い児童の保護の効果を得ることができる児童保護システムを提供する。【解決手段】侵入者検知手段１がマイクロ波又はミリ波を用いたドップラーレーダーであることで、出入口Ｓ１を通過する通過者の方向が明確に把握でき、侵入者Ｆが検知されると侵入者報知手段２ａ及び２ｂが侵入者Ｆの侵入を報知することで、侵入者検知手段１を設けるのみで誤作動の恐れの小さいシステムとすることができることから、簡便な構成で、高い児童の保護の効果を得ることができる。【選択図】        図２
2007080119.tif 000002
【特許請求の範囲】
【請求項１】
出入口において侵入者を検知する侵入者検知手段と、前記侵入者が検知された場合に作動する侵入者報知手段とを備え、前記侵入者検知手段がマイクロ波又はミリ波を用いたドップラーレーダーであることを特徴とする児童保護システム。
【請求項２】
学校の周辺の車道に設置され、表示部と制御部とを備えた情報表示装置と、前記制御部に信号を送信する送信手段とを備え、前記表示部は登下校する児童の存在を喚起させる注意喚起表示を表示することが可能となされ、前記送信手段は無線信号を前記制御部に送信することによって前記注意喚起表示を自在に表示又は非表示とできるようになされていることを特徴とする児童保護システム。
【発明の詳細な説明】
【技術分野】
【０００１】
本発明は、学校内又は学校の周辺において、児童を保護するのに用いられる児童保護システムに関するものである。
【背景技術】
【０００２】
従来、学校内や学校の周辺において、児童を登下校時における危険や、不審な侵入者から保護するシステムとして、例えば児童が出入口を通過したことを示す通過情報を受信し、該通過情報が含む児童識別装置と受信した時間とから、下校時の児童が誰と一緒であるかを得ることが可能となされ、更に児童の下校経路に関する情報から、誰と何分後のどの地点まで一緒であるのか、という情報を得ることができる登下校情報通知方法、登下校情報通知プログラム及び登下校情報通知装置が開示されている（例えば特許文献１）。
【０００３】
また登下校時に身につけるランドセル、靴等にＩＣチップを埋め込み、出入口に情報読み取り装置を設けて外部からの不審者や暴漢の侵入を管理者等に知らせるようになされた児童・生徒、教職員、学校の安全管理システムが開示されている（例えば特許文献２）。
【０００４】
【特許文献１】特開２００５−９２３２７号公報
【特許文献２】登録実用新案第３１０９００８号公報
【発明の開示】
【発明が解決しようとする課題】
【０００５】
しかしながら、特許文献１や特許文献２に記載のような従来の児童保護システムでは、種々の検知手段や報知手段が必要となり、構成が複雑なものとなって取り扱いが難しくなったり、コスト高に繋がったりする恐れがあった。また、学校の正門や周辺の通学路等の、児童の保護が最も必要とされる箇所に効果的に設置されているとは言えず、児童の保護の効果が必ずしも高く得られているとは言い難いものであった。
【０００６】
本発明は上記の如き課題に鑑みてなされたものであり、簡便な構成で、高い児童の保護の効果を得ることができる児童保護システムを提供せんとするものである。
【課題を解決するための手段】
【０００７】
上記目的を達成するため、本発明は以下のような構成としている。すなわち、本発明に係わる児童保護システムは、出入口において侵入者を検知する侵入者検知手段と、前記侵入者が検知された場合に作動する侵入者報知手段とを備え、前記侵入者検知手段がマイクロ波又はミリ波を用いたドップラーレーダーであることを特徴とするものである。
【０００８】
本発明に係わる児童保護システムによれば、侵入者検知手段がマイクロ波又はミリ波を用いたドップラーレーダーであることで、出入口を通過する通過者の方向が明確に把握でき、侵入者検知手段を設けるのみで誤作動の恐れの小さいシステムとすることができることから、簡便な構成で、高い児童の保護の効果を得ることができる。
【０００９】
また本発明に係わる児童保護システムは、学校の周辺の車道に設置され、表示部と制御部とを備えた情報表示装置と、前記制御部に信号を送信する送信手段とを備え、前記表示部は登下校する児童の存在を喚起させる注意喚起表示を表示することが可能となされ、前記送信手段は無線信号を前記制御部に送信することによって前記注意喚起表示を自在に表示又は非表示とできるようになされていることを特徴とするものである。
【００１０】
本発明に係わる児童保護システムによれば、情報表示装置と送信手段のみを用いて、児童が多く通る学校の周辺の車道において、児童の登下校時に注意喚起表示を行うことができることで、簡便な構成で、高い児童の保護の効果を得ることができる。
【発明の効果】
【００１１】
本発明に係わる請求項１に記載の児童保護システムによれば、侵入者検知手段がマイクロ波又はミリ波を用いたドップラーレーダーであることで、出入口を通過する通過者の方向が明確に把握でき、侵入者検知手段を設けるのみで誤作動の恐れの小さいシステムとすることができることから、簡便な構成で、高い児童の保護の効果を得ることができる。
【００１２】
また本発明に係わる請求項２に記載の児童保護システムによれば、情報表示装置と送信手段のみを用いて、児童が多く通る学校の周辺の車道において、児童の登下校時に注意喚起表示を行うことができることで、簡便な構成で、高い児童の保護の効果を得ることができる。
【発明を実施するための最良の形態】
【００１３】
本発明に係わる最良の実施の形態について、図面に基づき以下に具体的に説明する。
【００１４】
図１及び図２は、本発明に係わる第一の児童保護システムの、実施の一形態を示すものである。まず図１は、第一の児童保護システムが備えられた学校を示す斜視図であるが、学校Ｓは塀Ｗに囲まれ、塀Ｗの一部が開口されて出入口Ｓ１が設けられている。出入口Ｓ１の内側には、マイクロ波のドップラーレーダーである侵入者検知手段１が設けられている。
【００１５】
図２は、侵入者を検知した場合を示す側面図である。出入口Ｓ１から侵入者Ｆが学校Ｓの方向Ｙ１に侵入した場合、侵入者検知手段１が侵入者Ｆを検知し、学校Ｓ内に設けられた回転灯である侵入者報知手段２ａが発光したり、スピーカーである侵入者報知手段２ｂが警告音声を発したりして、学校Ｓ内の教職員等の関係者Ｍに侵入者Ｆの侵入を報知する。また侵入者Ｆが逆に学校Ｓと逆の方向Ｙ２に進んでいる場合には検知しないようにしておけば、侵入者Ｆの検知能力を低下させることなく誤検知を防止することができる。
【００１６】
侵入者検知手段１は、マイクロ波又はミリ波を用いたドップラーレーダーであり、侵入者Ｆ等の移動体の存在と移動方向を検知することができ、学校Ｓの方向Ｙ１へ進む移動体を検知した際に侵入者Ｆと見なして侵入者報知手段２により報知を行うようにし、学校Ｓと逆の方向Ｙ２に進む移動体を検知した場合は特に侵入者Ｆと見なさないようにし、誤作動の恐れを小さくしてシステムの信頼性を高めることができる。またマイクロ波やミリ波は雨滴や雪粒を透過することから、雨天時や寒冷時といった悪天候時においても誤検知や検知漏れを起こす恐れが少なく、システムの信頼性を更に高めることができる。
【００１７】
また侵入者報知手段２については、上記実施形態の如く回転灯等の発光体やスピーカーを好適に用いることができるが、可変表示器や振動によるもの等適宜のものを用いることができる。また学校Ｓ内に設置するものに限定されず、学校Ｓの外、例えば校庭、学校周辺の道路等に設置しておき、校庭にいる児童や学校周辺の歩行者等に侵入者Ｆの侵入を報知して、対策の補助とするようにしてもよい。
【００１８】
図３は、本発明に係わる第二の児童保護システムの、実施の一形態を示す斜視図である。学校Ｓの周辺の車道Ｒに情報表示装置３が設けられ、情報表示装置３に備えられた表示部３１が車道Ｒを走行する車両の運転者から視認可能となされている。情報表示装置３は発光により表示を行う情報板であり、表示部３１は発光ダイオードをドットマトリックス状に配置して、発光により文字の表示を行うものである。かかる表示部３１により、夜間や薄暮時においても情報を良好に視認できるようになされている。
【００１９】
図４は、情報表示装置に対する送信手段の適用を示す斜視図である。送信手段４は、複数のスイッチ４１が設けられ、スイッチ４１ａ〜４１ｃのいずれかを入力すると、発信器４２から赤外線による信号Ｇが発信される。信号Ｇが情報表示装置３の受信機３３に受信されると、信号Ｇに含まれる内容に基づいて制御部３２が表示内容を選択して表示部３１に表示の指示を行い、それに基づいて表示部３１による表示がなされる。
【００２０】
スイッチ４１ａ〜４１ｃの赤外線の波長は各々異なるものとなされ、制御部３２の表示内容の選択もその赤外線の波長に応じてなされる。例えば図５に示す如く、まず児童の登校時にはスイッチ４１ａを入力して、（ａ）に示す如く「学童登校中注意」等の表示を行い、児童が周辺にいることの注意喚起を行うようにする。次に、児童の登校時が過ぎた後にスイッチ４１ｂを入力して、（ｂ）に示す如く「走行注意」等、特に児童などと関わりのない表示を行う。またスイッチ４１ｂを入力して表示部３１による表示を中止するようにしてもよい。更に児童の下校時にはスイッチ４１ｃを入力して、（ｃ）に示す如く「学童下校中注意」等の表示を行い、児童が周辺にいることの注意喚起を行うようにする。児童の注意喚起については、飛び出しによる事故の発生の恐れが大きいことから、とりわけ見通しの悪い交差点等に情報表示装置３を設置することで得られる効果は高められる。
【００２１】
情報表示装置３は、発光により表示を行うものの他に、表示内容が変更可能なものであれば適宜のものを用いることができ、表示幕を用いたものなどを用いることができる。また送信手段４に用いる無線については、安価で形成が容易な赤外線を用いたものが好適であるが、その他に電波等を適用することもできる。
【図面の簡単な説明】
【００２２】
【図１】本発明に係わる第一の児童保護システムの、実施の一形態を示す斜視図である。
【図２】本発明に係わる第一の児童保護システムの、実施の一形態を示す側面図である。
【図３】本発明に係わる第二の児童保護システムの、実施の一形態を示す斜視図である。
【図４】本発明に係わる第二の児童保護システムの、送信手段の適用の例を示す説明図である。
【図５】本発明に係わる第二の児童保護システムの、表示部の表示内容の例を示す説明図である。
【符号の説明】
【００２３】
１    侵入者検知手段
２    侵入者報知手段
３    情報表示装置
３１  表示部
３２  制御部
４    送信手段
Ｓ    学校
Ｓ１  出入口
【図１】
2007080119.tif 000003
【図２】
2007080119.tif 000004
【図３】
2007080119.tif 000005
【図４】
2007080119.tif 000006
【図５】
2007080119.tif 000007